【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
吸収体（５）を含む男性用吸収製品であって、その吸収体が好ましくは製品の前区域（１１）から製品の股区域（１２）の方へ一端に向かって先細になり、かつ使用中使用者から離れて面する吸収体の側上の液密層（４）及び吸収体（５）のそれとは反対側上の液体透過性層（３）からなる被覆に包囲され、それらの層の両方が吸収体を超えて吸収体のまわりに延び、かつそこで相互に接合され、吸収体（５）が製品使用中、製品の前記前区域（１１）から股区域（１２）の方向に延びるように配置され、かつその狭い端区域で使用者の陰茎の下にわずかに延びることを意図される吸収製品において、液体透過性層（３）上に、吸収体の狭い端区域において、液体バリヤー（１７）が適用され、前記液体バリヤーが、使用中、それが使用者の陰茎の下に位置されてカーブし股区域の方向に凸状になり、使用者によって放出された尿が吸収体（５）の表面から使用者の股領域の方へ漏出することを防止するように配置されることを特徴とする吸収製品。
【請求項２】
前記吸収製品がパンツと組み合わせて使用するために意図されたインサートによって構成されること、及びこの目的のために、製品が液密層（４）の外側上に一つ以上の固定部材を与えられ、その固定部材がパンツの内側の意図した場所に吸収製品を保持することを意図されることを特徴とする請求項１に記載の吸収製品。
【請求項３】
製品が全体として前区域（１１）、後区域（８）及び股区域（１２）を有するパンツ状形状を有し、前区域（１１）及び後区域（８）が使用者のウエストを包囲することを意図され、前及び／又は後区域がウエスト弾性体を与えられ、それが適用された製品を使用者上の適所に保持することを意図されることを特徴とする請求項１に記載の吸収製品。
【請求項４】
前区域（１１）が少なくとも一つの弾性部材（２０）を有し、その弾性部材（２０）が製品使用中、前区域の中央領域における前区域の上部限界縁（１９）が使用者の陰茎の下に位置される位置に、前記弾性部材（２０）の作用とは逆に、製品の前区域（１１）を引き下げることができ、それと同時に前区域の二つの外側縁領域（１４０）における前区域の上部限界縁が使用者のウエストのまわりの適所に保持されるように配置されること、吸収体（５）が一つ以上の変形領域（１３０，１３１）を伴って構成され、その変形領域が製品使用中に使用者の陰茎の上に位置される吸収体の部分を製品の前区域（１１）が引き下げられるときに前区域の残りとともに引き下げることができること、及び製品の前区域及び吸収体（５）が弾性部材（２０）によってそれらの元の使用位置に戻るように配置されることを特徴とする請求項３に記載の吸収製品。
【請求項５】
前記ウエスト弾性体が弾性第一部分（１）から形成され、それが伸張状態において本質的に矩形であり、かつ使用者の胴を部分的に包囲してパンツ状製品の後区域（８）及び側区域（９，１０）を形成することを意図されること、製品に含まれる第二部分（２）がパンツ状製品の前区域（１１）及び股区域（１２）を形成するように構成されること、前記第二部分が二つの対向する端縁及び二つの対向する長手方向縁を伴って細長くされていること、第二部分（２）の幅が少なくとも股区域（１２）において第一部分（１）の長さより小さいこと、第二部分（２）の長手方向が第一部分（１）の長手方向に垂直に配置され、かつ第一端区域（６）によって第一部分の一つの長手方向縁区域（７）にこれの中央に接続されること、第一部分（１）の一つの端区域（１３）が第二部分の第一側縁区域（１４）に接続されること、及び第一部分の第二端区域（１５）が対応して第二部分（２）の第二側縁区域（１６）に接続され、吸収体（５）がその全体を第二部分上に適用されることを特徴とする請求項３又は４に記載の吸収製品。
【請求項６】
前記液体バリヤー（１７）が吸収体（５）の低い、狭い端区域の外形に従うように構成され、かつその全体を前記外形の内側に適用されることを特徴とする請求項１〜５のいずれかに記載の吸収製品。
【請求項７】
液体バリヤー（１７）が吸収体（５）の狭い端の近くで吸収体（５）に交差することを特徴とする請求項１〜５のいずれかに記載の吸収製品。
【請求項８】
液体バリヤー（１７）が吸収体（５）を超えて横方向に延び、かつ横方向において吸収製品の全体に及ぶことを特徴とする請求項７に記載の吸収製品。
【請求項９】
液体バリヤー（１７）が少なくとも製品使用中及び少なくとも横方向の吸収体（５）の中央の近くで少なくとも５ｍｍ、好ましくは１０−２０ｍｍの高さを有することを特徴とする請求項１〜８のいずれかに記載の吸収製品。
【請求項１０】
液体バリヤー（１７）が吸収製品の残りにその外側縁区域（１７０）に沿ってのみ固定されること、及び液体バリヤー（１７）の内側に位置される区域が製品使用中に液体透過性層（３）から持ち上げられるように配置されることを特徴とする請求項１〜９のいずれかに記載の吸収製品。
【請求項１１】
液体バリヤー（１７）が一つ以上のバンド形状材料から形成されたロールによって構成され、そのロールが曲げられて吸収体（５）の狭い端の方向に所望の凸状形状になることを特徴とする請求項１〜９のいずれかに記載の吸収製品。
【請求項１２】
液体バリヤー（１７）が一つ以上のバンド形状材料の多数の周囲折りたたみによって構成され、その液体バリヤーが前記折りたたみの形成後、折りたたみを形成する折りたたみ線（９３，９４）の方向に細長くされること、及び液体バリヤーが折りたたまれるか又は曲げられて所望の形状になることを特徴とする請求項１〜１０のいずれかに記載の吸収製品。
【請求項１３】
細長くされた液体バリヤー（１７）が長手方向に対して横方向の斜め線に沿って、例えば４５°の角度で中央において折りたたまれ、股区域に対してＶの先端を伴ってＶ形状液体バリヤーを形成することを特徴とする請求項１２に記載の吸収製品。
【請求項１４】
細長くされた液体バリヤー（１７）が適用された位置における液体バリヤーの下部限界縁から見ると鋭角（α）に沿って横方向の線に沿って二つの場所で折りたたまれ、股区域に対してＵの底部を有する本質的にＵ形状の液体バリヤーを形成し、前記鋭角が好ましくは４５°未満であることを特徴とする請求項１２に記載の吸収製品。
【請求項１５】
バンド形状材料が不織材料、好ましくは疎水性不織材料から、又は不織材料とプラスチックフィルムの積層体からなることを特徴とする請求項１１〜１４のいずれかに記載の吸収製品。
【請求項１６】
液体バリヤー（１７）が単一材料ストリップ、例えば疎水性不織材料によって構成され、それが適用される前に好適な形状に折りたたまれるか又は曲げられることを特徴とする請求項１０に記載の吸収製品。
【請求項１７】
液体バリヤー（１７）がその自由長手方向縁区域上で弾性糸（９１，９２，１００）の如き予め緊張された長手方向弾性要素を与えられ、その要素が製品使用中に液体バリヤーを持ち上げられた状態で保持することを意図されることを特徴とする請求項１２〜１６のいずれかに記載の吸収製品。
【請求項１８】
折りたたまれるか又は曲げられた状態で適用された液体バリヤー（１７）が製品使用中に前記折りたたまれるか又は曲げられた状態のそれ自身の内部剛性によってその自由長手方向縁区域を持ち上げられた状態で保持されるような大きさの内部剛性を有することを特徴とする請求項１２〜１６のいずれかに記載の吸収製品。
【請求項１９】
吸収体（５）が高吸収材料を混合されることができるセルロース毛羽から形成されること、及び液体バリヤー（１７）が成形物によって構成され、それがセルロース毛羽の如きエアレイ繊維から形成されること、及びこの成形物が吸収体（５）の狭い端区域の外形にこれの外側の上に又は直接に従うように適用されることを特徴とする請求項１〜９のいずれかに記載の吸収製品。
【請求項２０】
液体バリヤー（１７）が所望の形状に注型されるか又は折りたたまれたフォーム材料によって構成されることを特徴とする請求項１〜９のいずれかに記載の吸収製品。
【手続補正２】
【補正対象書類名】明細書
【補正対象項目名】００１２
【補正方法】変更
【補正の内容】
【００１２】
本発明の結果として、冒頭に述べられたタイプの製品が製造され、それによって上述の問題が完全に除去された。この目的のために、本発明による製品は液体透過性層上に、吸収体の狭い端区域において、液体バリヤーが適用され、前記液体バリヤーが、使用中、それが使用者の陰茎の下に位置されてカーブし股区域の方向に凸状になり、使用者によって放出された尿が吸収体の表面から使用者の股区域の方へ漏出することを防止するように配置されることを主に特徴とする。
【手続補正３】
【補正対象書類名】明細書
【補正対象項目名】００１５
【補正方法】変更
【補正の内容】
【００１５】
別の例によれば、本発明はこの場合において前区域が少なくとも一つの弾性部材を有し、その弾性部材が製品使用中、前区域の中央領域における前区域の上部限界縁が使用者の陰茎の下に位置される位置に、前記弾性部材の作用とは逆に、製品の前区域を引き下げることができ、それと同時に前区域の二つの外側縁領域における前区域の上部限界縁が使用者のウエストのまわりの適所に保持されるように配置されること、吸収材料が一つ以上の変形領域を伴って構成され、その変形領域が製品使用中に使用者の陰茎の上に位置される吸収体の部分を製品の前区域が引き下げられるときに前区域の残りとともに引き下げることができること、及び製品の前区域及び吸収体が弾性部材によってそれらの元の使用位置に戻るように配置されることを特徴とする。